【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
容量性タッチセンサシステムであって、
（ａ）タッチセンサアレイ（ＴＳＡ）と、
（ｂ）アレイ列駆動回路（ＡＣＤ）と、
（ｃ）列切り換えレジスタ（ＣＳＲ）と、
（ｄ）列駆動ソース（ＣＤＳ）と、
（ｅ）アレイ行センサ（ＡＲＳ）と、
（ｆ）行切り換えレジスタ（ＲＳＲ）と、
（ｇ）アナログ／デジタル変換器（ＡＤＣ）と、
（ｈ）計算制御デバイス（ＣＣＤ）と
を備え、
前記ＴＳＡは、可変インピーダンスアレイ（ＶＩＡ）列及びＶＩＡ行を含むＶＩＡを備え、
前記ＶＩＡは、前記ＶＩＡ列及び前記ＶＩＡ行を相互リンクする容量性要素を備え、
前記ＶＩＡは、前記ＴＳＡ内の複数の相互リンクインピーダンス列（ＩＩＣ）を前記ＴＳＡ内の複数の相互リンクインピーダンス行（ＩＩＲ）に電気的に結合するように構成され、
前記ＩＩＣは、前記ＶＩＡ列間に電気的に直列接続される複数の個々列インピーダンス要素（ＩＣＩＥ）を更に備え、
前記ＩＩＲは、前記ＶＩＡ行間に電気的に直列接続される複数の個々行インピーダンス要素（ＩＲＩＥ）を更に備え、
前記ＡＣＤは、前記ＣＳＲに基づいて前記ＴＳＡ内の前記ＩＩＣを選択するように構成され、
前記ＡＣＤは、前記ＣＤＳを使用して前記選択されたＩＩＣを電気的に駆動するように構成され、
前記ＡＲＳは、前記ＲＳＲに基づいて前記ＴＳＡ内の前記ＩＩＲを選択するように構成され、
前記ＡＤＣは、前記選択されたＩＩＲの電気状態を検知し、且つ前記電気状態を検知デジタル値（ＳＤＶ）に変換するように構成され、
前記電気状態は、前記ＶＩＡ内の可変インピーダンス要素の電流寄与の和によって特定され、各要素の前記電流寄与は、前記ＶＩＡの前記列間に形成される分圧器、前記ＶＩＡの前記行間に形成される電流分割器、及び前記インピーダンス要素の前記状態によって特定されて、前記ＶＩＡとの所与の行−列交点の検知電流を生成し、及び
前記ＣＣＤは、前記ＴＳＡ内の複数の位置において前記ＡＤＣから前記ＳＤＶをサンプリングして、タッチセンサ行列（ＴＳＭ）データ構造を形成するように構成される、容量性タッチセンサシステム。
【請求項２】
前記ＶＩＡは、
前記ＴＳＡに掛けられた圧力に応答する力検知材料を更に含み、前記ＣＣＤは、前記ＶＩＡの抵抗の測定により、前記ＴＳＡに掛けられた圧力を特定するように構成されるか、又は、
前記ＴＳＡに掛けられた力に応答してキャパシタンスを変化させる検知要素を更に含むか、又は、
同じ層に配置される駆動電極及び検知電極と、１組の前記駆動電極及び前記検知電極を短絡なしで互いに重複できるようにする導電性ブリッジとを更に含むか、又は、
駆動電極及び検知電極が同じ層に配置され、且つ導電性ブリッジが１組の前記駆動電極及び前記検知電極を短絡なしで互いに重複できるようにする菱形パターンを更に含むか、又は、
前記ＩＩＣ及び前記ＩＩＲを組み込んだ２層構造を更に含むか、又は、
０．２５〜２．５ｍｍの範囲の行−列ピッチを有するセンサ要素を更に含むか、又は、
透明導電性材料から形成される列電極及び行電極を更に含むか、又は、
酸化インジウム錫（ＩＴＯ）、透明有機導電粒子、グラフェン、カーボンナノチューブ、銀ナノワイヤ、マイクロパターン化導電性メッシュ、透明導電性ポリマー、及び金属ナノ粒子からなる群から選択される透明導電性材料から形成される列電極及び行電極を更に含む、請求項１に記載の容量性タッチセンサシステム。
【請求項３】
前記ＣＣＤは、
前記ＴＳＡからの容量性検知データ及び力検知データを組み合わせて、前記ＴＳＡに関連付けられた平均タッチ検知値を形成するように構成されるか、又は、
加重平均を使用して前記ＴＳＡからの容量性検知データ及び力検知データを組み合わせて、前記ＴＳＡに関連付けられた結合タッチ検知値を形成するように構成されるか、又は、
加重平均を使用して前記ＴＳＡからの容量性検知データ及び力検知データを組み合わせて、前記ＴＳＡに関連付けられた結合タッチ検知値を形成するように構成され、前記容量性検知データに関連付けられたキャパシタンスは、前記力検知データに関連付けられた力よりも大きく加重されるか、又は、
加重平均を使用して前記ＴＳＡからの容量性検知データ及び力検知データを組み合わせて、前記ＴＳＡに関連付けられた結合タッチ検知値を形成するように構成され、前記力検知データに関連付けられた力は、前記容量性検知データに関連付けられた容量性よりも大きく加重される、請求項１に記載の容量性タッチセンサシステム。
【請求項４】
前記ＣＣＤは、
前記ＶＩＡ内の各行／列交点でのタッチの存在を特定する相互キャパシタンス走査を使用して前記ＶＩＡを走査するように構成されるか、又は、
前記ＶＩＡ内の所与の行又は前記ＶＩＡ内の所与の列のいずれかでのタッチの存在を特定する自己キャパシタンス走査を使用して前記ＶＩＡを走査するように構成されるか、又は、
高インピーダンス状態で構成された前記ＶＩＡ内のアクティブ電極のサブセットを用いて前記ＶＩＡを走査するように構成されるか、又は、
前記ＴＳＡから容量性検知データ（ＣＳＤ）及び力検知データ（ＦＳＤ）の両方を収集し、且つ前記ＣＳＤ及び前記ＦＳＤを前記ＴＳＭに記憶するように構成されるか、又は、
前記ＴＳＡから、アクティブスタイラスに関連付けられた容量性検知データ（ＣＳＤ）及び力検知データ（ＦＳＤ）を収集し、且つ前記ＣＳＤ及び前記ＦＳＤを前記ＴＳＭに記憶するように構成される、請求項１に記載の容量性タッチセンサシステム。
【請求項５】
前記ＡＣＤは、
正弦波を生成するように構成されるデジタル／アナログ変換器（ＤＡＣ）を備えるか、又は、
一度に前記ＶＩＡの１つの行を検知するように構成される受信器を備える前記ＡＲＳを用いて、一度に前記ＶＩＡの１つのアクティブ行−列交点を走査するように構成される１つの送信器を備えるか、又は、
前記ＶＩＡの複数の列を駆動するように構成される複数の送信器を備えるか、又は、
前記ＶＩＡの複数の列を駆動するように構成される複数の周波数で動作する複数の送信器を備えるか、又は、
前記ＶＩＡの複数の列を駆動するように構成される複数の周波数で動作する複数の送信器を備え、及び前記ＡＲＳは、複数の周波数で前記ＶＩＡの複数の行を検知するように構成される複数の受信器を備える、請求項１に記載の容量性タッチセンサシステム。
【請求項６】
前記ＡＤＣは、正弦波を検出するように構成されるアナログ／デジタル変換器を備える、請求項１に記載の容量性タッチセンサシステム。
【請求項７】
前記ＣＣＤは、前記ＳＤＶが、導電性物体又は非導電性物体から導出されるタッチ状態を構成するか否かを判断するように構成される状態マシンを備える、請求項１に記載の容量性タッチセンサシステム。
【請求項８】
前記ＡＲＳは、前記ＶＩＡの複数の行を検知するように構成される複数の受信器を備える、請求項１に記載の容量性タッチセンサシステム。
【請求項９】
前記ＩＲＩＥは、
抵抗性センサ要素を備えるか、又は、
プリントされた狭い抵抗性ストリップを備えるか、又は、
透明導電性材料の薄いブリッジを備える、請求項１に記載の容量性タッチセンサシステム。
【請求項１０】
前記ＩＣＩＥは、
抵抗性センサ要素を備えるか、又は、
プリントされた狭い抵抗性ストリップを備えるか、又は、
透明導電性材料の薄いブリッジを備える、請求項１に記載の容量性タッチセンサシステム。
【請求項１１】
前記ＩＣＩＥ及び前記ＩＲＩＥは、
前記ＶＩＡの各列及び各行と同じ材料で構成されるか、又は、
レーザトリミング抵抗で構成される、請求項１に記載の容量性タッチセンサシステム。
【請求項１２】
前記ＶＩＡは、
薄い誘電層で覆われるか、又は、
シールド材料の透明導電層によって電気的にシールドされるか、又は、
ディスプレイ上に形成されるか、又は、
ディスプレイに積層されるか、又は、
ディスプレイの層内に統合される、請求項１に記載の容量性タッチセンサシステム。
【請求項１３】
前記ＴＳＡは、
信号を前記ＶＩＡ内の各行及び各列からスタイラスに送信するように構成され、及び前記スタイラスは、前記送信からの信号強度を特定し、且つ前記信号強度を前記ＣＣＤに送信するように構成されるか、又は、
前記ＶＩＡ内の各行及び各列からのスタイラスからの信号を受信し、且つ前記受信信号の分析によって前記スタイラスの位置を特定するように構成されるか、又は、
前記ＶＩＡの行及び列を介してスタイラスと双方向通信することにより、前記スタイラスの位置を特定するように構成されるか、又は、
前記ＶＩＡの前記行及び前記列を介して複数のスタイラスと通信するように構成されるか、又は、
複数の送受信器を有するスタイラスと通信するように構成されるか、又は、
ブルートゥース（ＢＬＵＥＴＯＯＴＨ）（登録商標）無線通信を介してホストコンピュータと通信するように構成されるスタイラスと通信するように構成される、請求項１に記載の容量性タッチセンサシステム。
【請求項１４】
容量性タッチセンサシステムで動作するように構成される容量性タッチセンサ方法であって、前記容量性タッチセンサシステムは、
（ａ）タッチセンサアレイ（ＴＳＡ）と、
（ｂ）アレイ列駆動回路（ＡＣＤ）と、
（ｃ）列切り換えレジスタ（ＣＳＲ）と、
（ｄ）列駆動ソース（ＣＤＳ）と、
（ｅ）アレイ行センサ（ＡＲＳ）と、
（ｆ）行切り換えレジスタ（ＲＳＲ）と、
（ｇ）アナログ／デジタル変換器（ＡＤＣ）と、
（ｈ）計算制御デバイス（ＣＣＤ）と
を備え、
前記ＴＳＡは、可変インピーダンスアレイ（ＶＩＡ）列及びＶＩＡ行を含むＶＩＡを備え、
前記ＶＩＡは、前記ＶＩＡ列及び前記ＶＩＡ行を相互リンクする容量性要素を備え、
前記ＶＩＡは、前記ＴＳＡ内の複数の相互リンクインピーダンス列（ＩＩＣ）を前記ＴＳＡ内の複数の相互リンクインピーダンス行（ＩＩＲ）に電気的に結合するように構成され、
前記ＩＩＣは、前記ＶＩＡ列間に電気的に直列接続される複数の個々列インピーダンス要素（ＩＣＩＥ）を更に備え、
前記ＩＩＲは、前記ＶＩＡ行間に電気的に直列接続される複数の個々行インピーダンス要素（ＩＲＩＥ）を更に備え、
前記ＡＣＤは、前記ＣＳＲに基づいて前記ＴＳＡ内の前記ＩＩＣを選択するように構成され、
前記ＡＣＤは、前記ＣＤＳを使用して前記選択されたＩＩＣを電気的に駆動するように構成され、
前記ＡＲＳは、前記ＲＳＲに基づいて前記ＴＳＡ内の前記ＩＩＲを選択するように構成され、
前記ＡＤＣは、前記選択されたＩＩＲの電気状態を検知し、且つ前記電気状態を検知デジタル値（ＳＤＶ）に変換するように構成され、
前記電気状態は、前記ＶＩＡ内の可変インピーダンス要素の電流寄与の和によって特定され、各要素の前記電流寄与は、前記ＶＩＡの前記列間に形成される分圧器、前記ＶＩＡの前記行間に形成される電流分割器、及び前記インピーダンス要素の前記状態によって特定されて、前記ＶＩＡとの所与の行−列交点の検知電流を生成し、及び
前記ＣＣＤは、前記ＴＳＡ内の複数の位置において前記ＡＤＣから前記ＳＤＶをサンプリングして、タッチセンサ行列（ＴＳＭ）データ構造を形成するように構成され、
前記方法は、
（１）前記ＣＣＤの制御下で、前記ＶＩＡ内の前記ＩＩＣを構成するステップと、
（２）前記ＣＣＤの制御下で、前記ＶＩＡ内の前記ＩＩＲを構成するステップと、
（３）前記ＣＣＤの制御下で、前記ＣＤＳを用いて前記ＩＩＣを電気的に刺激するステップと、
（４）前記ＣＣＤの制御下で、前記ＶＩＡ内の所与の行−列交点の検知電流として、前記ＡＤＣを用いて前記ＩＩＲの前記電気状態を検知し、且つ前記電気状態をデジタルデータに変換するステップと、
（５）前記ＣＣＤの制御下で、前記デジタルデータを前記ＴＳＭに記憶するステップと、
（６）前記ＣＣＤの制御下で、前記ＣＤＳ、前記ＩＩＣ、及び前記ＩＩＲの所定の変動が、前記ＴＳＭにログ記録されたか否かを判断し、且つログ記録された場合、ステップ（８）に進むステップと、
（７）前記ＣＣＤの制御下で、新しいＶＩＡ検知変動について前記ＣＤＳ、前記ＩＩＣ、及び前記ＩＩＲを再構成し、且つステップ（３）に進むステップと、
（８）前記ＣＣＤの制御下で、ＴＳＭ値を補間して、前記ＶＩＡ内の活動の焦点を特定するステップと、
（９）前記ＣＣＤの制御下で、焦点活動情報をユーザインターフェース入力コマンドシーケンスに変換するステップと、
（１０）前記ＣＣＤの制御下で、行動のために、前記ユーザインターフェース入力コマンドシーケンスをコンピュータシステムに送信し、且つステップ（１）に進むステップとを含む、容量性タッチセンサ方法。
【請求項１５】
容量性タッチセンサシステムで動作するように構成される容量性タッチセンサ方法を備えるコンピュータ可読プログラムコード手段を有する実体的な非一時的コンピュータ使用可能媒体であって、前記容量性タッチセンサシステムは、
（ａ）タッチセンサアレイ（ＴＳＡ）と、
（ｂ）アレイ列駆動回路（ＡＣＤ）と、
（ｃ）列切り換えレジスタ（ＣＳＲ）と、
（ｄ）列駆動ソース（ＣＤＳ）と、
（ｅ）アレイ行センサ（ＡＲＳ）と、
（ｆ）行切り換えレジスタ（ＲＳＲ）と、
（ｇ）アナログ／デジタル変換器（ＡＤＣ）と、
（ｈ）計算制御デバイス（ＣＣＤ）と
を備え、
前記ＴＳＡは、可変インピーダンスアレイ（ＶＩＡ）列及びＶＩＡ行を含むＶＩＡを備え、
前記ＶＩＡは、前記ＶＩＡ列及び前記ＶＩＡ行を相互リンクする容量性要素を備え、
前記ＶＩＡは、前記ＴＳＡ内の複数の相互リンクインピーダンス列（ＩＩＣ）を前記ＴＳＡ内の複数の相互リンクインピーダンス行（ＩＩＲ）に電気的に結合するように構成され、
前記ＩＩＣは、前記ＶＩＡ列間に電気的に直列接続される複数の個々列インピーダンス要素（ＩＣＩＥ）を更に備え、
前記ＩＩＲは、前記ＶＩＡ行間に電気的に直列接続される複数の個々行インピーダンス要素（ＩＲＩＥ）を更に備え、
前記ＡＣＤは、前記ＣＳＲに基づいて前記ＴＳＡ内の前記ＩＩＣを選択するように構成され、
前記ＡＣＤは、前記ＣＤＳを使用して前記選択されたＩＩＣを電気的に駆動するように構成され、
前記ＡＲＳは、前記ＲＳＲに基づいて前記ＴＳＡ内の前記ＩＩＲを選択するように構成され、
前記ＡＤＣは、前記選択されたＩＩＲの電気状態を検知し、且つ前記電気状態を検知デジタル値（ＳＤＶ）に変換するように構成され、
前記電気状態は、前記ＶＩＡ内の可変インピーダンス要素の電流寄与の和によって特定され、各要素の前記電流寄与は、前記ＶＩＡの前記列間に形成される分圧器、前記ＶＩＡの前記行間に形成される電流分割器、及び前記インピーダンス要素の前記状態によって特定されて、前記ＶＩＡとの所与の行−列交点の検知電流を生成し、及び
前記ＣＣＤは、前記ＴＳＡ内の複数の位置において前記ＡＤＣから前記ＳＤＶをサンプリングして、タッチセンサ行列（ＴＳＭ）データ構造を形成するように構成され、
前記方法は、
（１）前記ＣＣＤの制御下で、前記ＶＩＡ内の前記ＩＩＣを構成するステップと、
（２）前記ＣＣＤの制御下で、前記ＶＩＡ内の前記ＩＩＲを構成するステップと、
（３）前記ＣＣＤの制御下で、前記ＣＤＳを用いて前記ＩＩＣを電気的に刺激するステップと、
（４）前記ＣＣＤの制御下で、前記ＶＩＡ内の所与の行−列交点の検知電流として、前記ＡＤＣを用いて前記ＩＩＲの前記電気状態を検知し、且つ前記電気状態をデジタルデータに変換するステップと、
（５）前記ＣＣＤの制御下で、前記デジタルデータを前記ＴＳＭに記憶するステップと、
（６）前記ＣＣＤの制御下で、前記ＣＤＳ、前記ＩＩＣ、及び前記ＩＩＲの所定の変動が、前記ＴＳＭにログ記録されたか否かを判断し、且つログ記録された場合、ステップ（８）に進むステップと、
（７）前記ＣＣＤの制御下で、新しいＶＩＡ検知変動について前記ＣＤＳ、前記ＩＩＣ、及び前記ＩＩＲを再構成し、且つステップ（３）に進むステップと、
（８）前記ＣＣＤの制御下で、ＴＳＭ値を補間して、前記ＶＩＡ内の活動の焦点を特定するステップと、
（９）前記ＣＣＤの制御下で、焦点活動情報をユーザインターフェース入力コマンドシーケンスに変換するステップと、
（１０）前記ＣＣＤの制御下で、行動のために、前記ユーザインターフェース入力コマンドシーケンスをコンピュータシステムに送信し、且つステップ（１）に進むステップとを含む、実体的な非一時的コンピュータ使用可能媒体。